(57)【要約】      （修正有）【課題】角度が回転可能で、照明のオンオフや充電が容易となるＬＥＤ灯管を提供する。【解決手段】ＵＳＢプラグインＬＥＤ灯管１００において、ＬＥＤ灯管１００は長尺円管状であって、ＵＳＢ接続モジュール１と手動制御スイッチ６を含む。ＵＳＢ接続モジュール１は、ＬＥＤ灯管１００の一端における端部ソケット３に設けられ、端部ソケット３の端面にはＵＳＢ差込口３１が形成されており、ＵＳＢ接続モジュール１のＵＳＢコンセント側コネクタがこれに対応して設けられる。手動制御スイッチ６は、ＬＥＤ灯管の他端における端部ソケット３に設けられ、ＬＥＤ灯管内の光源をオンオフ制御すべく、端部ソケット３の端面に露出した押圧部を備える。充電機能を有するＵＳＢ接続モジュール１が一方の端部ソケット３に設けられ、手動制御スイッチ６が他方の端部ソケット３に設けられることから、ＬＥＤ灯管は角度を回転可能なほか、照明のオンオフや充電が容易となる。【選択図】図１
2019050177.tif 000002
【特許請求の範囲】
【請求項１】
長尺円管状のＵＳＢプラグインＬＥＤ灯管において、
前記ＬＥＤ灯管の一端における端部ソケットに設けられたＵＳＢ接続モジュールであって、前記端部ソケットの端面にはＵＳＢ差込口が形成されており、前記ＵＳＢ接続モジュールのＵＳＢコンセント側コネクタがこれに対応して設けられるＵＳＢ接続モジュールと、
前記ＬＥＤ灯管の他端における端部ソケットに設けられ、前記ＬＥＤ灯管内の光源をオンオフ制御すべく、前記端部ソケットの端面に露出した押圧部を備える手動制御スイッチ、を含むことを特徴とするＵＳＢプラグインＬＥＤ灯管。
【請求項２】
前記各端部ソケットは中空の管体であり、前記押圧部は他端における前記端部ソケットの端面開口箇所に形成されていることを特徴とする請求項１記載のＵＳＢプラグインＬＥＤ灯管。
【請求項３】
前記ＬＥＤ灯管は、更に、複数のＬＥＤチップが設けられた発光モジュールを内部に含むことを特徴とする請求項１記載のＵＳＢプラグインＬＥＤ灯管。
【請求項４】
前記発光モジュールは、一方の面又は他方の面に複数のＬＥＤチップが設けられることを特徴とする請求項３記載のＵＳＢプラグインＬＥＤ灯管。
【請求項５】
前記２つの端部ソケットは、前記ＵＳＢ接続モジュール、前記ＬＥＤ灯管及び前記手動制御スイッチをそれぞれ固定する複数の位置規制ブロックを内側面にそれぞれ含むことを特徴とする請求項１記載のＵＳＢプラグインＬＥＤ灯管。
【請求項６】
本体と、当該本体における一方の面から外側に延伸する複数の挟持アームとを備える先端挟持部材群を更に含み、各当該挟持アームの間に前記端部ソケットが挟持されることを特徴とする請求項１記載のＵＳＢプラグインＬＥＤ灯管。
【請求項７】
当該本体に設けられる磁石を更に含み、当該磁石は、磁気吸着により当該先端挟持部材群と当該ＬＥＤ灯管を所定の位置に固定することを特徴とする請求項６記載のＵＳＢプラグインＬＥＤ灯管。
【請求項８】
各当該挟持アームは当該ＬＥＤ灯管の両側に密着する円弧部を備え、各当該円弧部の内側面には複数のリブが突設されていることを特徴とする請求項６記載のＵＳＢプラグインＬＥＤ灯管。
【請求項９】
各当該挟持アームは拡張アームを備え、各当該拡張アームは、それぞれ各当該円弧部の端部から外側に向けて対向するよう延伸することを特徴とする請求項６記載のＵＳＢプラグインＬＥＤ灯管。
【請求項１０】
当該磁石及び当該本体を固定接続することで、当該磁石を当該本体に固定する固定接続部材を更に含むことを特徴とする請求項１記載のＵＳＢプラグインＬＥＤ灯管。
【発明の詳細な説明】
【技術分野】
【０００１】
本発明はＬＥＤ灯管に関し、特に、ＵＳＢプラグインＬＥＤ灯管に関する。
【背景技術】
【０００２】
ＬＥＤは技術の成熟に伴って応用範囲が拡大している。初期のころ照明に用いられていた蛍光灯（Ｆｌｕｏｒｅｓｃｅｎｔ  ｌａｍｐ）は、使用可能な動作時間が全体的に短く、損傷すると内部の水銀が環境を汚染する恐れもあったため、現在ではＬＥＤを光源とする灯管が広く用いられている。
【０００３】
灯管の装着時には、まず両側の電極をソケットに滑り込ませ、続いて灯管を回転させることで電極をソケットに挟み込む必要がある。通常の装着時においては、一方の電極をソケットに接触させてから、もう一方の電極を手で支えつつ他方のソケットに挿入することが多い。しかし、先に一方の電極を接触させると他方の電極に通電するため、意図せず触れてしまった場合に感電の恐れがあるとの課題があった。そのため、現在のＬＥＤ灯管では装着及び使用時の安全性が考慮されている。
【０００４】
従来のＬＥＤ光源を用いたランプとして、特許文献１に開示のＬＥＤランプが挙げられる。特許文献１に開示のＬＥＤランプは、一つまたは複数のＬＥＤ型ダイオードを有する光源と、制御情報または制御信号に応答して前記光源の光ビームの輝度および／または形状を制御するための手段と、光を感知して前記光に照明された領域の反射光強度を表す電気信号を生成するための取込手段と、前記取込手段により生成された情報から前記制御情報または前記制御信号を生成するための制御ユニットとを備える。前記取込手段は、前記制御ユニットにより制御された可変の焦点フィールドに関連づけられて、異なる焦点距離で対応する電気信号を生成する。
【先行技術文献】
【特許文献】
【０００５】
【特許文献１】特開２０１７−０７６６０８号公報
【発明の概要】
【発明が解決しようとする課題】
【０００６】
従来の照明器具は、ソケットへの装着後に角度を回転させることができず、電源は商用電源からの電気供給に限られていた。このほか、従来の照明器具は大型なだけでなくソケットに装着されることから、自由に取り外して別の場所に設置することができなかった。例えば、従来の緊急照明機器はどれも壁面に固定されており、取り外したとしても机の上に放置するしかない。そのため、ユーザビリティに限界があり、住居内の任意の壁面に照明器具を自由に固定する術がなかった。また、照射角度も限定的であった。例えば、壁面の１つの場所に固定されて一定の領域しか照射できないため、照射角度の調整効果にやや劣っていた。以上の点から、従来の構造的課題を如何に解決するかを当業者は検討する必要があった。
【課題を解決するための手段】
【０００７】
ＵＳＢプラグインＬＥＤ灯管側端の端部ソケットには手動制御スイッチが設けられているため、消灯時には充電端子を抜かなくとも、手動制御スイッチを押圧するだけで灯管をオフできる。よって、充電端子の過度な抜き差しにより差込口が変形し、挿し込んだとしても安定して接続できず、緩みや抜け落ちが生じるとの事態を回避可能となる。
【０００８】
また、ＵＳＢプラグインＬＥＤ灯管は角度を回転させられるため、ＬＥＤ灯管の冶具や磁石による吸着固定構造を固定しやすい（壁面又はあらゆる平面に対し）。また、電気供給についてはＵＳＢ接続モジュールを用い、外付けアダプタ（電源）から電気を供給する。更に、先端挟持部材群上の磁石によってあらゆる壁面又は平面を吸着することで、ＬＥＤ灯管の適用範囲を拡大している。照射角度についても従来の固定型照射のような制限を受けることがない。使用者は、先端挟持部材群上の磁石によって所定の位置を吸着するだけでＬＥＤ灯管をあらゆる場所に固定可能となるため、たいへん使用しやすい。
【０００９】
また、充電用のＵＳＢ接続モジュールが端部ソケットに設けられるとともに、手動制御スイッチについても端部ソケットに設けられる。この構造であれば回転可能なだけでなく吸着も可能となり、更には別の磁石を設けることで当該構造と互いに吸着させることも可能となる。
【００１０】
本発明は、長尺円管状のＵＳＢプラグインＬＥＤ灯管であって、ＵＳＢ接続モジュールと手動制御スイッチを含み、前記ＵＳＢ接続モジュールは前記ＬＥＤ灯管の一端における端部ソケットに設けられ、前記端部ソケットの端面にはＵＳＢ差込口が形成されており、前記ＵＳＢ接続モジュールのＵＳＢコンセント側コネクタがこれに対応して設けられ、前記手動制御スイッチは、前記ＬＥＤ灯管の他端における端部ソケットに設けられ、前記ＬＥＤ灯管内の光源をオンオフ制御すべく、前記端部ソケットの端面に露出した押圧部を備えることを特徴とするＵＳＢプラグインＬＥＤ灯管を提供する。
【００１１】
実施例によっては、前記各端部ソケットは中空の管体であり、前記押圧部は他端における前記端部ソケットの端面開口箇所に形成されている。
【００１２】
実施例によっては、前記ＬＥＤ灯管は、更に、複数のＬＥＤチップが設けられた発光モジュールを内部に含む。
【００１３】
実施例によっては、前記２つの端部ソケットは、前記ＵＳＢ接続モジュール、前記ＬＥＤ灯管及び前記手動制御スイッチをそれぞれ固定する複数の位置規制ブロックを内側面にそれぞれ含む。
【００１４】
実施例によっては、本体と、当該本体における一方の面から外側に延伸する複数の挟持アームとを備える先端挟持部材群を更に含み、各当該挟持アームの間に前記端部ソケットが挟持され、当該本体に設けられる磁石を更に含み、当該磁石は、磁気吸着により当該先端挟持部材群と当該ＬＥＤ灯管を所定の位置に固定する。
【００１５】
実施例によっては、各当該挟持アームは、当該ＬＥＤ灯管の両側に密着する円弧部を備える。また、各当該円弧部の内側面には複数のリブが突設されている。各当該挟持アームは拡張アームを備え、各当該拡張アームは、それぞれ各当該円弧部の端部から外側に向けて対向するよう延伸する。
【００１６】
実施例によっては、更に連結ブロックを含み、当該連結ブロックの一方の面には磁石が設けられ、他方の面には接着部材が設けられ、当該連結ブロックにおける当該磁石は当該先端挟持部材群の当該磁石を吸着し、当該接着部材は接着により当該先端挟持部材群と当該ＬＥＤ灯管を当該所定の位置に固定する。また、当該磁石及び当該本体を固定接続することで、当該磁石を当該本体に固定する固定接続部材を更に含む。
【００１７】
以下に、実施形態を挙げて本発明の詳細な特徴及び利点につき詳述する。当業者であれば、ここに詳述した内容から本発明の技術を理解し、実施することが可能である。また、本明細書に開示の内容、請求項及び図面から、当業者は本発明の目的及び利点を理解可能である。
【図面の簡単な説明】
【００１８】
【図１】本発明における第１実施例の外観図である。
【図２】本発明における第１実施例の側面図である。
【図３】本発明における第１実施例のスイッチ押下時の側面図である。
【図４】本発明における第１実施例を正面から見た分解図である。
【図５】本発明における第１実施例を背面から見た分解図である。
【図６】本発明における第２実施例の側面図である。
【発明を実施するための形態】
【００１９】
本発明の図面では、便宜上、成分或いは部材のサイズ及び相対サイズを誇張して示している。また。明細書全体を通じて同一の符号は同一の部材を表す。このほか、以下で使用する「及び／又は」との記載は、任意及びあらゆる１又は複数の関連対象物の組み合わせを含むことを意味する。
【００２０】
本発明のＬＥＤ灯管は、電気スタンド、機械メンテナンス用の点検灯、キャンプ用ライト、作業用ライト、商用ライトに変形可能である。ＬＥＤ灯管には電池も電源も内蔵しない。入力電源としては商用電源（ＡＣ）ではなく、内部入力３〜１２Ｖと動作電源としては広めの直流電源のみを用いるため、コストが相対的に低く抑えられる。また、本発明のＬＥＤ灯管に対する電気供給には、アダプタ、モバイルバッテリ、蓄電池を使用可能である。
【００２１】
以下に、図面を組み合わせて実施例につき詳述する。ただし、これら実施例は異なる形態として含まれてもよく、且つ、これらによって本発明の権利範囲が限定されると解釈すべきではない。これら実施例は本発明を明瞭簡潔に開示するためのものであり、当業者であれば、これら実施例から本発明の範囲を理解可能である。
【００２２】
本発明の第１実施例である図１〜図５を参照する。図１は外観図、図２は側面図、図３はスイッチ押下時の側面図、図４は正面から見た分解図、図５は背面から見た分解図である。本実施例において、ＬＥＤ灯管１００は長尺の円管状をなしている。ＬＥＤ灯管１００は、長尺管状のランプシェード２、長尺管状のランプシェード２の両端における２つの端部ソケット３、及び長尺管状のランプシェード２の内部に位置する発光モジュール４を含む。各端部ソケット３は中空の管体であり、更に先端挟持部材群９により挟持される。
【００２３】
図１〜図５を参照して、ＬＥＤ灯管内には、携帯電話の充電用電源から電気供給可能な定格パワーモジュールが設けられている。即ち、一般的な携帯用電源（モバイルバッテリ）を接続することでＬＥＤ灯管を点灯可能となっている。これに対し、従来の一般的なＬＥＤ灯管の場合には、ソケットに装着して商用電源から電気供給しない限り点灯されない。
【００２４】
図１〜図５を参照して、前記ＬＥＤ灯管１００は管径が細く、長さ１５ｃｍ以下のため携帯しやすいとの利点がある。また、小型なことから各種小スペースに装着しての使用が可能となる。このことから、適用範囲が更に広がり、従来の照明器具では大型なため狭い隙間に装着しての使用が不可能であるとの課題が解消される。
【００２５】
図１〜図５を参照して、前記発光モジュール４は、基板２０と、前記基板２０の表面上の複数のＬＥＤチップ４２を含む。基板２０上の回路は省電力効果が得られるよう、５ボルト、２アンペアの電力を伝送可能な特殊設計となっている。一般的な懐中電灯のワット数は０．３Ｗ又は０．５Ｗにとどまり、照明面積も小さく、十分に明るいとはいえない。これに対し、本発明のＬＥＤ灯管１００は５Ｗであり、照明レベルは従来の１８Ｗ蛍光灯に相当する。そのため、照明としての明るさを効果的に向上させたといえる。
【００２６】
図１〜図５を参照して、前記ＬＥＤ灯管１００は、前記長尺管状のランプシェード２の一端における前記端部ソケット３に設けられたＵＳＢ接続モジュール１と、前記長尺管状のランプシェード２の他端における前記端部ソケット３に設けられた手動制御スイッチ６を含む。手動制御スイッチ６は、前記ＬＥＤ灯管内の光源をオンオフ制御すべく、前記端部ソケット３の端面に露出した押圧部６１を含む。なお、押圧部６１は、他端における前記端部ソケット３の端面開口箇所に形成されている。
【００２７】
図１〜図５を参照して、前記ＵＳＢ接続モジュール１は、前記発光モジュール４の一端に電気的に接続されており、前記手動制御スイッチ６は、前記発光モジュール４の他端に電気的に接続されている。前記手動制御スイッチ６は、左右に押圧される制御スイッチとするがこれに限らず、一般的な押しボタンスイッチとしてもよい。また、手動制御スイッチ６は更に、端部ソケット３と手動制御スイッチ６が全体として平面的で突出のない外観を形成するよう平面的に端部ソケット３に設けられてもよい。これによれば、製品の外観が洗練されるほか、先端が衝突しやすいとの課題が回避される。
【００２８】
図１〜図５を参照して、ＵＳＢ接続モジュール１は、回路基板１１と、回路基板１１に設けられるＵＳＢコンセント側コネクタ１２を含む。端部ソケット３の側端には、ＵＳＢ差込口３１の穴が形成されており、これに対応してＵＳＢコンセント側コネクタ１２がＵＳＢ差込口３１に設けられる。ＵＳＢコンセント側コネクタ１２には、外付けのＵＳＢプラグ側コネクタ２３（充電端子）が差し込まれる。
【００２９】
図１〜図５を参照して、前記長尺管状のランプシェード２の内部両側には、発光モジュール４を固定するための位置規制ブロック２４が形成されている。前記発光モジュール４の両面には、複数組のＬＥＤチップ４２が設けられているがこれに限らない。実施形態によっては、前記発光モジュール４は一方の面に複数組のＬＥＤチップ４２を設けてもよい。
【００３０】
図１〜図５を参照して、前記２つの端部ソケット３は、内側面に複数の位置規制ブロック３２をそれぞれ含む。位置規制ブロック３２が前記ＵＳＢ接続モジュール１、前記ＬＥＤ灯管１００及び前記手動制御スイッチ６をそれぞれ固定することで、ＵＳＢ接続モジュール１、前記ＬＥＤ灯管１００及び前記手動制御スイッチ６がぐらつくことなく効果的に固定される。
【００３１】
図１〜図５を参照して、本発明のＬＥＤ灯管１００は更に、先端挟持部材群９と組み合わせて使用可能である。先端挟持部材群９には磁石５が設けられている。磁石５は固定接続部材９９により固定接続されることで、先端挟持部材群９に固定されている。
【００３２】
図１〜図５を参照して、先端挟持部材群９は、本体９０及び複数の挟持アーム９１を含む。ここで、本体９０は円形構造体とするがこれに限らず、矩形や長方形等としてもよい。複数の挟持アーム９１は本体９０の一方の面から外側に延伸している。各挟持アーム９１は互いに対称に設けられており、ＬＥＤ灯管１００が各挟持アーム９１の間に挟持される。各挟持アーム９１は、円弧部９２と拡張アーム９４を含む。２つの円弧部９２は対称に湾曲してＬＥＤ灯管１００の両側に密着する。各拡張アーム９４は、それぞれ各円弧部９２の端部から外側に向けて対向するよう延伸している。各拡張アーム９４は、ＬＥＤ灯管１００を装着時に案内しやすいよう、外側から内側に向けて徐々に縮小している。
【００３３】
図１〜図５を参照して、ＬＥＤ灯管１００の側端は、２つの挟持アーム９１における各拡張アーム９４から２つの円弧部９２内部へと装入される。ＬＥＤ灯管１００の側端が力を付与し、ＬＥＤ灯管１００側端の外壁面が各挟持アーム９１を押圧することで、各挟持アーム９１が弾性的に拡張して、ＬＥＤ灯管１００を各円弧部９２内に装入可能となる。続いて、各挟持アーム９１が弾性回復することで、ＬＥＤ灯管１００は挟持及び固定される。
【００３４】
図１〜図５を参照して、各円弧部９２の内側面には複数のリブ９３が突設されている。複数のリブ９３がＬＥＤ灯管１００の外側面に接触することで滑り止め効果が増すため、各挟持アーム９１からのＬＥＤ灯管１００の抜け落ちが回避される。
【００３５】
図１〜図５を参照して、磁石５は本体９０に設けられる。磁石５は、磁気吸着によって先端挟持部材群９とＬＥＤ灯管１００を所定の位置に固定する。ここで、本体９０には凹溝が形成されており、磁石５は当該凹溝に装入されている。磁石５が凹溝に装填されると、磁石５の表面と本体９０の表面が平坦状となることから、壁面やあらゆる平面への位置決めが容易となる。先端挟持部材群９の構造設計によれば、ＬＥＤ灯管１００を容易且つ便利に素早く挟み込むことができる。また、先端挟持部材群９の磁石５によってあらゆる壁面や平面に吸着可能となるため、大変利用しやすく、従来の固定型照明のように照射角度が限定されることもない。
【００３６】
本発明の第２実施例である図６を参照する。実施形態によっては、連結ブロック９６を追加して先端挟持部材群９と合わせて使用する。連結ブロック９６によって、先端挟持部材群９は更に別の方式であらゆる壁面又は平面に位置決め可能となる。詳述すると、連結ブロック９６は一方の面に磁石５が設けられており、連結ブロック９６上の磁石５と先端挟持部材群９上の磁石５とが互いに吸着し合うことで先端挟持部材群９と連結ブロック９６が結合する。また、連結ブロック９６の他方の面には接着部材７（マジックテープ（登録商標）や両面テープ）が設けられている。接着部材７はあらゆる場所に接着可能なことから、磁石５が非金属材質からなる平面に吸着不可能な場合には、接着により貼り付けて結合させればよい。これによれば、先端挟持部材群９とＬＥＤ灯管１００を接着部材７で所定の位置に貼り付け、固定することが可能となる。
【００３７】
ＬＥＤ灯管側端の端部ソケットには手動制御スイッチが設けられているため、消灯時には充電端子を抜かなくとも、手動制御スイッチを押圧するだけで灯管をオフできる。よって、充電端子の過度な抜き差しにより差込口が変形し、挿し込んだとしても安定して接続できず、緩みや抜け落ちが生じるとの事態を回避可能となる。また、ＵＳＢプラグインＬＥＤ灯管は角度を回転させられるため、（壁面又はあらゆる平面に対し）ＬＥＤ灯管の冶具や磁石による吸着固定構造を固定しやすい。また、電気供給についてはＵＳＢ接続モジュールを用い、外付けアダプタ（電源）から電気を供給する。更に、先端挟持部材群上の磁石によってあらゆる壁面又は平面を吸着することで、ＬＥＤ灯管の適用範囲を拡大している。照射角度についても従来の固定型照射のような制限を受けることがない。使用者は、先端挟持部材群上の磁石によって所定の位置を吸着するだけでＬＥＤ灯管をあらゆる場所に固定可能となるため、たいへん使用しやすい。また、充電用のＵＳＢ接続モジュールが端部ソケットに設けられるとともに、手動制御スイッチについても端部ソケットに設けられる。この構造であれば回転可能なだけでなく吸着も可能となり、更には別の磁石を設けることで当該構造と互いに吸着させることも可能となる。
【００３８】
上記実施例は、当業者が本発明の内容を十分に理解して実施可能となるよう、本発明の技術思想及び特徴を説明するためのものにすぎず、本発明の権利範囲を限定するものではない。即ち、本発明に開示の精神に基づき実施される等価な変形又は捕捉についても、本発明の権利範囲に含まれる。
【００３９】
以上述べたように、本発明は従来技術を超越することで所望の更なる効果を実現している。本発明は当業者によって容易に想起し得ず、進歩性及び実用性を有する。
【符号の説明】
【００４０】
１００  ＬＥＤ灯管
１      ＵＳＢ接続モジュール
１１    回路基板
１２    ＵＳＢコンセント側コネクタ
２      長尺管状のランプシェード
２３    ＵＳＢプラグ側コネクタ
２４    位置規制ブロック
３      端部ソケット
３１    ＵＳＢ差込口
３２    位置規制ブロック
４      発光モジュール
４１    基板
４２    ＬＥＤチップ
５      磁石
６      手動制御スイッチ
６１    押圧部
７      接着部材
９      先端挟持部材群
９０    本体
９１    挟持アーム
９２    円弧部
９３    リブ
９４    拡張アーム
９６    連結ブロック
９９    固定接続部材
【図１】
2019050177.tif 000003
【図２】
2019050177.tif 000004
【図３】
2019050177.tif 000005
【図４】
2019050177.tif 000006
【図５】
2019050177.tif 000007
【図６】
2019050177.tif 000008